(57)【特許請求の範囲】
【請求項１】
アクセスルータを含み、前記アクセスルータはマッピングマネージャー、メッセージ転送プロセッサ及び前記マッピングマネージャー及びメッセージ転送プロセッサと接続するメッセージパッケージプロセッサを備える移動通信の制御システムであって、その中に、
ソースアクセスルータは、無線リンクによってソースモバイル端末に接続し、前記ソースアクセスルータにおいて、該マッピングマネージャーは、移動端末のアイデンティティ識別子と位置識別子とのマッピング関係を管理するように設置され、該メッセージパッケージプロセッサは、ソースモバイル端末が発信した第1データメッセージにおけるアイデンティティ識別子に応じて位置識別子をパッケージし、第2データメッセージを取得するように設置され、該メッセージ転送プロセッサは、前記第2データメッセージにおいてパッケージした位置識別子に応じて、前記第2データメッセージを目的モバイル端末に接続する目的アクセスルータに伝送するように設置され、
目的アクセスルータは、無線リンクによって目的モバイル端末に接続し、前記目的アクセスルータにおいて、該マッピングマネージャーは、移動端末のアイデンティティ識別子と位置識別子とのマッピング関係を管理するように設置され、該メッセージパッケージプロセッサは、前記第2データメッセージにおける位置識別子を剥離し、前記第1データメッセージをパッケージ解除するように設置され、該メッセージ転送プロセッサは、パッケージ解除された第1データメッセージにおけるアイデンティティ識別子に応じて、前記第1データメッセージを目的モバイル端末に伝送するように設置され、
ここで、アイデンティティ識別子は、移動端末とアクセスルータとの間にデータメッセージをマークすることに用いられ、位置識別子はソースアクセスルータと目的アクセスルータが位置する基幹ネットワークにおいてデータメッセージをマークすることに用いられる移動通信の制御システム。
【請求項２】
前記システムはマッピング転送サーバをさらに含み、前記マッピング転送サーバは、移動端末の位置識別子とアイデンティティ識別子を管理し、該移動端末の位置識別子とアイデンティティ識別子が関連するように設置されるマッピングマネージャー、及びアクセスルータと指令合わせを行い、移動端末の位置識別子とアイデンティティ識別子とのマッピング関係を検索、維持、更新、削除するように設置されるコマンダをさらに含む請求項1に記載のシステム。
【請求項３】
前記ソースアクセスルータは前記マッピングマネージャーに接続するファインダー及び前記メッセージパッケージプロセッサに接続するメッセージバッファをさらに含み、ソースアクセスルータのマッピングマネージャーには目的モバイル端末のアイデンティティ識別子と位置識別子のマッピング関係を記憶しない際に、
前記メッセージバッファは、前記ソースモバイル端末が初めて発信した、目的アドレスが目的モバイル端末のアイデンティティ識別子である第1データメッセージをキャッシュするように設置され、
前記ファインダーは、転送マッピングサーバへ前記目的モバイル端末のアイデンティティ識別子と位置識別子とのマッピング関係を検索するように設置され、
前記マッピングマネージャーは、検索結果に応じて目的モバイル端末のアイデンティティ識別子と位置識別子とのマッピング関係を追加するように設置され、
前記メッセージパッケージプロセッサはさらに、追加したマッピング関係に応じて前記メッセージバッファにおける第1データメッセージをパッケージ処理するように設置される請求項2に記載のシステム。
【請求項４】
前記マッピング転送サーバは、マッピングマネージャーに接続するメッセージパッケージ転送ユニットをさらに含み、前記ソースアクセスルータは前記マッピングマネージャーに接続するファインダーをさらに含み、前記ソースアクセスルータにおけるマッピングマネージャーには目的モバイル端末のアイデンティティ識別子と位置識別子とのマッピング関係を保存しない時、
前記ソースアクセスルータのメッセージ転送プロセッサはさらに、ソースモバイル端末が初めて発信した、目的アドレスが目的モバイル端末のアイデンティティ識別子である第1データメッセージを前記マッピング転送サーバに転送するように設置され、
前記マッピング転送サーバのメッセージパッケージ転送ユニットは、前記第1データメッセージにおけるアイデンティティ識別子に応じて位置識別子をパッケージし、第2データメッセージを取得し、前記第2データメッセージを前記目的モバイル端末に接続する目的アクセスルータにルーティング転送するように設置され、
前記ソースアクセスルータのファインダーは、前記転送マッピングサーバへ前記目的モバイル端末のアイデンティティ識別子と位置識別子とのマッピング関係を検索するように設置され、前記ソースアクセスルータのマッピングマネージャーは、検索結果に応じて目的モバイル端末のアイデンティティ識別子と位置識別子とのマッピング関係を追加するように設置される請求項2に記載のシステム。
【請求項５】
前記アクセスルータは前記マッピングマネージャーに接続するステータス通知装置をさらに含み、前記ステータス通知装置は、移動端末が所定のエリアまで移動し、或いは移動端末ステータスが変化すると、移動端末に位置識別子を分配し、分配した移動端末の位置識別子をマッピング転送サーバに通知するように設置され、前記マッピング転送サーバのコマンダは、通知した位置識別子に応じて移動端末のアイデンティティ識別子と位置識別子とのマッピング関係を更新するように設置される請求項2に記載のシステム。
【請求項６】
前記アクセスルータはステータス通知装置に接続するアクセスマネージャーと前記アクセスマネージャー及びメッセージ転送プロセッサに接続する移動性マネージャーをさらに含み、該アクセスマネージャーは、該アクセスルータの移動端末に接続されるアクセス情報を管理し、移動端末のアクセスサービスを提供するように設置され、該移動性マネージャーは、移動端末位置が変化する際に、移動端末の切り替えプロセスを処理し、移動端末が通信相手との間の接続関係を維持し、移動端末がアクセスを切り替える際に、通信相手に接続するアクセスルータにルーティングの最適化プロセスを開始するように設置される請求項1または2に記載の移動通信の制御システム。
【請求項７】
該システムは汎用ルータをさらに含み、前記第2データメッセージをルーティング転送するように設置される請求項1に記載のシステム。
【請求項８】
前記移動通信の制御システムはネットワークをアクセスネットワークと基幹ネットワークに分け、前記アクセスルータは前記アクセスネットワークと基幹ネットワークに接続し、前記アイデンティティ識別子はアクセスネットワーク内に用いられ、前記位置識別子は前記基幹ネットワーク内に用いられ、前記アイデンティティ識別子と位置識別子はコード空間を多重化し、異なる移動端末は位置識別子を多重化する請求項1に記載のシステム。
【請求項９】
移動通信の制御方法であって、該方法はソースモバイル端末が目的モバイル端末にデータメッセージを送信するプロセスを含み、該ソースモバイル端末は目的モバイル端末にデータメッセージを送信するプロセスは、
A、前記ソースアクセスルータはソースモバイル端末が送信した第1データメッセージを受信し、ステップBを実行すること、
B、前記第1データメッセージにおけるアイデンティティ識別子に応じて位置識別子をパッケージし、第2データメッセージを取得すること、前記第2データメッセージにおける位置識別子に応じて前記第2データメッセージを前記目的モバイル端末相に接続する目的アクセスルータに転送すること、及び
C、前記目的アクセスルータは前記第2データメッセージにおける位置識別子パッケージを剥離し、前記第1データメッセージに還元し、前記第1データメッセージを前記目的モバイル端末に転送することを含み、
ここで、アイデンティティ識別子は、移動端末とアクセスルータとの間にデータメッセージをマークすることに用いられ、位置識別子はソースアクセスルータと目的アクセスルータが位置する基幹ネットワークにおいてデータメッセージをマークすることに用いられる移動通信の制御方法。
【請求項１０】
前記ソースモバイル端末は目的モバイル端末へデータメッセージを送信するプロセスは、移動通信システムにおいて、前記ソースアクセスルータは移動端末のアイデンティティ識別子と位置識別子とのマッピング関係をローカルキャッシュし、マッピング転送サーバはアクセスルータの指令に従って移動端末のアイデンティティ識別子と位置識別子とのマッピング関係を検索、維持、更新、削除し、前記ソースアクセスルータには前記ソースモバイル端末が初めて発信した、目的アドレスが目的モバイル端末のアイデンティティ識別子である第1データメッセージを受信する際に、前記ソースアクセスルータは前記第1データメッセージをキャッシュし、前記第1データメッセージにおける目的モバイル端末のアイデンティティ識別子に応じて前記マッピング転送サーバへ検索して前記目的モバイル端末の位置識別子を取得した後、再びステップBを実行することをさらに含む請求項9に記載の方法。
【請求項１１】
前記ソースモバイル端末は目的モバイル端末へデータメッセージを送信するプロセスは、移動通信システムにおいて、前記ソースアクセスルータは移動端末のアイデンティティ識別子と位置識別子とのマッピング関係をローカルキャッシュし、マッピング転送サーバはアクセスルータの指令において移動端末のアイデンティティ識別子と位置識別子とのマッピング関係を検索、維持、更新、削除し、前記ソースアクセスルータには前記ソースモバイル端末が初めて発信した、目的アドレスが目的モバイル端末のアイデンティティ識別子である第1データメッセージを受信する際に、前記ソースアクセスルータは前記第1データをマッピング転送サーバに転送し、前記マッピング転送サーバによってステップBを実行することをさらに含む請求項9に記載の方法。
【請求項１２】
移動端末が所定のエリアまで移動し、或いは移動端末ステータスが変化する際に、該方法は、ステータス通知プロセスをさらに含み、該ステータス通知プロセスは、
前記アクセスルータは移動端末に位置識別子を分配すること、
前記アクセスルータは分配した移動端末の位置識別子を前記マッピング転送サーバに通知すること、及び
前記マッピング転送サーバは通知した位置識別子に応じて移動端末のアイデンティティ識別子と位置識別子とのマッピング関係を更新することを含む請求項9に記載の方法。
【請求項１３】
該方法はルーティングの最適化プロセスをさらに含み、該ルーティングの最適化プロセスは、
移動端末がアクセスを切り替える際に、前記アクセスルータは前記移動端末に新たな位置識別子を分配し、通信相手のアクセスルータへルーティングの最適化プロセスを開始すること、及び
前記通信相手のアクセスルータはルーティングの最適化プロセスには前記移動端末のアイデンティティ識別子と位置識別子とのマッピング関係を更新することを含む請求項9に記載の方法。
【請求項１４】
前記方法は、移動通信の制御システムはネットワークをアクセスネットワークと基幹ネットワークに分け、前記アクセスルータは前記アクセスネットワークと基幹ネットワークに接続し、前記アイデンティティ識別子はアクセスネットワーク内に用いられ、前記位置識別子は前記基幹ネットワーク内に用いられることをさらに含む請求項9に記載の方法。
【請求項１５】
移動通信ネットワークにアプリケーションされるマッピング転送サーバであって、該マッピング転送サーバは、
移動端末の位置識別子とアイデンティティ識別子を管理するように設置されるマッピングマネージャー、
アクセスルータと指令合わせを行い、移動端末の位置識別子とアイデンティティ識別子とのマッピング関係を検索、維持、更新、削除するように設置されるコマンダ、及び
送信元アクセスルーティング識別子が転送した第1データメッセージにおけるアイデンティティ識別子に応じて位置識別子をパッケージし、第2データメッセージを取得し、及び前記第2データメッセージを前記目的モバイル端末に接続する目的アクセスルータにルーティング転送するように設置されるメッセージパッケージ転送ユニットを含み、
ここで、アイデンティティ識別子は、移動端末とアクセスルータとの間にデータメッセージをマークすることに用いられ、位置識別子はソースアクセスルータと目的アクセスルータが位置する基幹ネットワークにおいてデータメッセージをマークすることに用いられるマッピング転送サーバ。
【請求項１６】
アクセスルータであって、該アクセスルータは、
該アクセスルータに接続される移動端末及び通信相手のアイデンティティ識別子と位置識別子とのマッピング関係を管理するように設置されるマッピングマネージャー、
移動端末が発信した発信した第1データメッセージにおけるアイデンティティ識別子及び前記マッピングマネージャーにおけるマッピング関係に応じて位置識別子のパッケージを増加し、第2データメッセージを取得し、及び移動端末へ送信していく第2データメッセージにおける位置識別子のパッケージを剥離し、第1データメッセージを取得するように設置されるメッセージパッケージプロセッサ、及び
移動端末から第1データメッセージを受信し、通信相手に接続するアクセスルータから第2データメッセージを受信し、及び移動端末へ第1データメッセージを送信し、通信相手に接続するアクセスルータへ第2データメッセージを送信するように設置されるメッセージ転送プロセッサを含み、
ここで、アイデンティティ識別子は、移動端末とアクセスルータとの間にデータメッセージをマークすることに用いられ、位置識別子はソースアクセスルータと目的アクセスルータが位置する基幹ネットワークにおいてデータメッセージをマークすることに用いられるアクセスルータ。
【請求項１７】
前記アクセスルータはソースアクセスルータである際に、前記ソースアクセスルータは、前記マッピングマネージャーに接続するファインダー及び前記メッセージパッケージプロセッサに接続するメッセージバッファをさらに含み、ソースアクセスルータのマッピングマネージャーには目的モバイル端末のマッピング関係を記憶しない際に、
前記メッセージバッファは、前記ソースモバイル端末が初めて発信した、目的アドレスが目的モバイル端末のアイデンティティ識別子である第1データメッセージをキャッシュするように設置され、
前記ファインダーは、転送マッピングサーバへ前記目的モバイル端末のアイデンティティ識別子と位置識別子とのマッピング関係を検索するように設置され、
前記メッセージパッケージプロセッサはさらに、追加したマッピング関係に応じて前記メッセージバッファにおける第1データメッセージをパッケージ処理するように設置される請求項16に記載のアクセスルータ。
【請求項１８】
前記アクセスルータはソースアクセスルータである際に、前記ソースアクセスルータは、前記マッピングマネージャーに接続するファインダーをさらに含み、前記ソースアクセスルータにおけるマッピングマネージャーには目的モバイル端末のアイデンティティ識別子と位置識別子とのマッピング関係を保存しない際に、
前記メッセージ転送プロセッサはさらに、ソースモバイル端末が初めて発信した、目的アドレスが目的モバイル端末のアイデンティティ識別子である第1データメッセージを前記マッピング転送サーバに転送するように設置され、
前記ファインダーは、前記転送マッピングサーバへ前記目的モバイル端末のアイデンティティ識別子と位置識別子とのマッピング関係を検索するように設置され、前記マッピングマネージャーは、検索結果に応じて目的モバイル端末のアイデンティティ識別子と位置識別子とのマッピング関係を追加するように設置される請求項16に記載のアクセスルータ。
【請求項１９】
前記アクセスルータは、前記マッピングマネージャーに接続するステータス通知装置をさらに含み、前記ステータス通知装置は、移動端末が所定のエリアまで移動し、或いは移動端末ステータスが変化する際に、移動端末に位置識別子を分配し、分配した移動端末の位置識別子をマッピング転送サーバに通知するように設置される請求項16に記載のアクセスルータ。
【請求項２０】
前記アクセスルータは、アクセスマネージャーと前記アクセスマネージャーに接続する移動性マネージャーをさらに含み、該アクセスマネージャーは、該アクセスルータの移動端末に接続されるアクセス情報を管理し、移動端末のアクセスサービスを提供するように設置され、該移動性マネージャーは、移動端末位置が変化する際に、移動端末の切り替えプロセスを処理し、移動端末と通信相手との間の接続関係を維持し、移動端末がアクセスを切り替える際に、通信相手に接続するアクセスルータへルーティングの最適化プロセスを開始するように設置される請求項16に記載のアクセスルータ。
【発明の詳細な説明】
【技術分野】
【０００１】
本発明は通信分野に関し、特に移動通信の制御方法、システム、マッピング転送サーバ及びアクセスルータに関する。
【背景技術】
【０００２】
図1は1つの基本的なモバイルインターネットプロトコル（IP）システムを示す。移動IP第6バージョン（以下で、MIPv6と呼ばれる）はインターネットエンジニアリングタスクフォース（IETF）により定義されるIPノードの移動性を処理するための方法[「RFC3775：Mobility Support in IPv6」、2004年6月、IETF]である。移動IP（MIP）プロトコルを使用するすべての移動ノード（MN）11はいずれも対応するホームエージェント（HA）12と帰属のIPアドレス（HoA）を有し、その中、HoAアドレスのネットワークトポロジーにおけるルーティングはHAをポイントする。
【０００３】
MNがアクセスしたIPサブネットは「訪問ネットワーク」（VN）になる。MNが対応するHAはいずれかのアクセス可能であるVNの外部に位置する。1つのMNがある1つのVN内に位置する際に、該MNは、有効的なIPアドレスとして、そのHoAを使用することができないのは、HoAのネットワークトポロジーにおけるルーティングはVNをポイントしないからである。このため、該MNが有効的なローカルプレフィックスを利用して気付けアドレス（CoA）を配置する。該MNが同様な訪問されたIPネットワーク内に存在しさえすれば、上記CoAをIPメッセージを送信と受信することに用いられることができる。上記のVNを変更するとIPの切り替えを招致することとなる。「通信ノード（CN）」は上記MNと通信しているIPホストを表す。1つのMNは同時に複数のCNと通信でき、且つMNの自身が移動できる。
【０００４】
MIPを使用したMNは2種類の通信形式の間に選択でき、IP移動性の場合に会話の連続性を保持するようにする。第1の場合に、CNとMNとの間のすべての業務はいずれも上記のHAによって双方向トンネルを利用して転送するものである。MNのCoAが変化すると、該MNがバインディング更新（BU）メッセージを利用してHAにおいてHoA-CoAマッピング関係を更新する。上記HAはすべての受信したHoAを目的アドレスのIPメッセージとして、上記MNの実際のCoAトンネルを利用して該MNに転送する。同様に、上記MNが内部送信元IPアドレスとしてHoAを利用し、すべての送信メッセージをトンネルによってHAに送信する。上記HAは上記データメッセージをパッケージ解除してその最終の目的IPアドレスに上記グループを送信する。HAが上記MNに信頼されると、このような通信形式が位置プライバシーを実現できる。ところで、このような通信モードにおける1つの欠点は、すべてのデータメッセージはいずれも上記ホームエージェントHAを経る必要があって、迂回ルーティング（あるいは三角ルーティングと称する）が存在するというルーティングの非最適性にある。
【０００５】
MIPにおける第2種類の通信方式はルーティングの最適化である。ルーティングの最適化はデータメッセージが上記MNと上記CNとの間に直接にデータメッセージの送受信を行うことを許可して上記HAを訪問する必要がない。これは、上記MNがそのCNにBUメッセージを送信することによってルーティングの最適化を実現する。該BUメッセージはMNのCoAアドレスを含む。その後、MNとCNとの間のデータメッセージは送信元アドレス或いは目的アドレスとしてCoAアドレスを採用し、このようなデータメッセージは最適ルーティングを利用して送信するものである。上記のCNにMNの位置（CoAは、ネットワークトポロジーにおいて現在MNの所在位置をマークするものである）を示したため、この過程が位置プライバシーを破壊した。
【０００６】
上記のようなIETF基準のMIPシステムは位置プライバシーとルーティングの最適化を組み合わせることを許さない。
【０００７】
同時に、「リバーストンネル」移動IPプロトコルを用いる移動制御システムには1つの問題があって、即ち、ソースモバイル端末（MT）#1は必ずデータメッセージヘッダに移動ノードMNの気付けアドレスとターゲット移動端末MT#2の気付けアドレスを再設置し、データメッセージヘッダが大きい。
【０００８】
以上の問題を解決するために、公開番号101507226、出願番号200680055577.6、出願日2006-08-09の特許出願には「移動IPシステムにおけるルーティンググルーピングに用いられる方法及び設備」について解決案を提案した。
【０００９】
図2に示すように、NCPF（RM）21、IP2Pのこれらの機能ノードを増加し、該方案はIP2体系構造とMIP/層別のMIP（HMIP）システムを組み合わせ、最適の上記問題を解決するための方法、設備及びシステムを提供する。該発明において、IphaはMNに分配した唯一の永久的なホスト識別子であり、Ipraはルーティングホストアドレスである。IP2Pに内蔵される監視ユニットによって、MNが開始したルーティングの最適化プロセスを監視する。MNがルーティングの最適化を開始する際に、IP2PはBUメッセージを検査し切り取って、NCPF（RM）にアクティベーション通知を送信し、NCPF（RM）は該アクティベーション通知を受信した後、関連のIP2Pにルーティングの最適化命令を出し、関連のIP2Pは受信したルーティングの最適化命令に基づいてデータメッセージの転送ルーティングを最適化する。その結果、データメッセージはMN->IP2P_MN->IP2P_CN->CNにおいて伝送される。従って、該IP2Pの間を経由するルーティングパスは上記のホームエージェントHAを経由する転送パスより短くなる。IP2Pの間のデータメッセージ転送方法はアドレス交換、トンネル伝送或いは安全トンネル伝送であってもよい。そのほか、MNのルーティングアドレス（CoA、LCoA等）は安全的にアプリケーションされるため、上記のMNの位置プライバシーは好適に保護される。該解決案の主な問題は以下の通りである。
【００１０】
1-1  MNが開始したルーティングの最適化プロセスを監視することはすべてのMNが発信したデータメッセージをトラバースする必要がある。これはIP2Pの大量の処理性能を消耗することとなる。
【００１１】
1-2  該発明が基づいた通信端末は必ずMIP端末であり、或いは類似の技術原理に基づいた特定の機能要求を有する通信端末であり、実現過程には端末の参加が必要とする。
【００１２】
1-3  MIPのルーティングの最適化はエンドツーエンド過程であり、エンドツーエンドでMIPルーティングの最適化プロトコルをサポートする必要があって、MIP端末はルーティングの最適化を行わない或いはルーティングの最適化条件（例えば通信相手がMIPプロトコルをサポートしない固定アクセス端末であり、或いは通信相手がサポートするMIPプロトコルのバージョンが異なる）を備えない際に、迂回ルーティングも存在する。
【００１３】
特許発明出願「移動通信制御システム、移動通信の制御方法、ルータ、サーバ1級のデータ構造」、出願番号03157408.4、出願日2003-09-19、公開番号1496154。
【００１４】
特許方案において移動IP技術に存在するいくつかの問題、ルーティング冗長、移動ノード（移動端末）の現在の位置情報及びローカルプロキシサーバIPアドレスが漏れる問題について、以下のようなステップを定義し、送信元ルータAR2内において目的アドレスとしてパケットに含まれる目的モバイル端末2の第1アドレスを目的モバイル端末2の第2アドレスに転換し、上記の第2アドレスと目的モバイル端末の第1アドレスが関連し、ルータAR3内に、目的アドレスとして受信パケットに含まれる目的モバイル端末2の第2アドレスを目的モバイル端末2の第1アドレスに転換し、上記の第1アドレスと目的モバイル端末の第2アドレスが関連する。
【００１５】
該技術方案には以下の欠点が存在し、
2-1該方案は第1アドレスと第2アドレスとの転換方法を提供し、改めてIPv6アドレスにおいて判定ビットを定義し、第1アドレス、第2アドレスを区別することに用いられる。IPv6の128アドレスがIETF基準組織において明らかにその既存の意味を定義し、その中に判定ビットを定義すると、利用できるIPv6アドレス数を減少する一方、従来のプロトコル規範と衝突する可能性が存在し、従来の規範基準におけるIPv6アドレスの定義を変化する必要がある。
【００１６】
2-2  ネットワーク管理サーバNCPFは経路選択表管理ユニットを維持し、ルータ設備制御ユニットによって関連ルータに通知メッセージを出してルーティング伝送パスを最適化する。ルーティングの最適化、ルーティング情報の維持更新削除の過程に、ネットワーク管理サーバNCPFは関連するルータと相互作用し、ネットワーク管理サーバNCPFはいかに関連するルータを取得するか明らかな紹介がない。ネットワーク管理サーバNCPFは端末或いは端末にアクセスしたルータARと相互作用することのみによって関連するルータ情報を取得することとなって、複雑なシグナリング相互作用過程を必要とする。
【００１７】
2-3  最適化ルーティング伝送パスの過程は通信両端のアクセスルータの1つ或いは通信端末の1つによりトリガーされ、ネットワーク管理サーバNCPFは通知メッセージを出してルーティング伝送パスを最適化し、通信両端のアクセスルータは通知メッセージに従って最適化ルーティングの操作を実行する。その中、ネットワークサーバNCPFのこの過程への参加が不可欠であり、ネットワークサーバNCPFの参加は必要がない故障ノードを引き入れ、この過程を複雑になる。
【００１８】
2-4  各端末は同時にIPホストアドレス、IPルーティングアドレスを有し、2つのIPアドレスを占用し、一定のリソースの無駄が存在する。
【００１９】
2-5  IPホストアドレスが記憶ユニットを送信するキャッシュテーブルに記憶されない際に、アドレス判断ユニットは一時に1つのバッファにIPパケットを記憶している。この際、アドレス判断ユニットは位置情報管理サーバを検索しIPホストアドレスが対応するIPルーティングアドレス（第2アドレス）を取得して目的アドレスとなる。検査結果に応じて、IPパケット内の目的アドレスをIPホストアドレスからIPルーティングアドレスに転換し、それがバッファにおいてバッファリングし、IPパケットをルーティングユニットに伝送する。
【００２０】
バッファにおいてIPパケットを記憶する数は検査時間及び移動端末送信メッセージのレートと密接に関連する。記憶したこの部分のIPパケットは記憶ユニット性能を占用する必要があって、行列管理等の複雑な処理も必要とするため、無線帯域幅、有線アクセス帯域幅が広くなっていく背景で、設備に大きな処理負荷と複雑さをもたらす。同時に、記憶転送の方式がデータメッセージの転送遅延を増加させる。
【００２１】
特許発明出願「移動通信制御システム、ネットワーク管理サーバ及びノード」出願番号200410003107.8、出願日2004-02-04、公開番号1523837は上記特許発明出願「移動通信制御システム、移動通信の制御方法、ルータ、サーバ1級データ構造」の1種の詳細化シーンであり、基本原理は上記の特許出願案と同様で、それが上記の特許出願案の特徴の2-2、2-3、2-4を備える。
【００２２】
特許出願「移動IPシステムにおいてルーティンググルーピングする方法及び装置」、公開番号101513006、出願番号200680055560.0、出願日2006-08-09は、IP2解決案の切り替えシーンにおいて問題の解決方法を提出した。
【００２３】
以下のような特徴を備え、
3-1  データメッセージアドレス転換の基本方法はIpraをIphaに切り替えることを採用する。
【００２４】
3-2  ルーティングの最適化の過程は、nAR113がステップS202によってRM121にアクティベーション通知ANを開始した後、RM121は相手AR111にS204ステップにおけるIP更新を送信することによって実現される。RM121はルーティングの最適化過程を開始する主体である。
【００２５】
3-3  RM121はいかに相手AR111の情報を取得するか、どのAR111にルーティングの最適化過程を開始するか、特許案には明確しない。
【００２６】
それが上記の特許出願案の欠点の2-2、2-3、2-4を備える。
【発明の概要】
【発明が解決しようとする課題】
【００２７】
本発明が解決しようとする技術問題は位置プライバシーを実現し、データメッセージの処理を簡素化し、データメッセージヘッダの大き過ぎを防止するように、移動通信制御システム、方法、マッピング転送サーバ及びアクセスルータを提供することである。
【課題を解決するための手段】
【００２８】
以上の技術問題を解決するために、本発明は移動通信の制御システムを提供し、該システムはアクセスルータを含み、前記アクセスルータはマッピングマネージャー、メッセージ転送プロセッサ及び前記マッピングマネージャー及びメッセージ転送プロセッサと接続するメッセージパッケージプロセッサを備える移動通信の制御システムであって、その中に
ソースアクセスルータは、無線リンクによってソースモバイル端末に接続し、前記ソースアクセスルータにおいて、該マッピングマネージャーは、移動端末のアイデンティティ識別子と位置識別子とのマッピング関係を管理するように設置され、該メッセージパッケージプロセッサは、ソースモバイル端末が発信した第1データメッセージにおけるアイデンティティ識別子に応じて位置識別子をパッケージし、第2データメッセージを取得するように設置され、該メッセージ転送プロセッサは、前記第2データメッセージにおいてパッケージした位置識別子に応じて、前記第2データメッセージを目的モバイル端末に接続する目的アクセスルータに伝送するように設置され、
目的アクセスルータは、無線リンクによって目的モバイル端末に接続し、前記目的アクセスルータにおいて、該マッピングマネージャーは、移動端末のアイデンティティ識別子と位置識別子とのマッピング関係を管理するように設置され、該メッセージパッケージプロセッサは、前記第2データメッセージにおける位置識別子を剥離し、前記第1データメッセージをパッケージ解除するように設置され、該メッセージ転送プロセッサは、パッケージ解除された第1データメッセージにおけるアイデンティティ識別子に応じて、前記第1データメッセージを目的モバイル端末に伝送するように設置される。
【００２９】
好ましくは、前記システムはマッピング転送サーバをさらに含み、前記マッピング転送サーバは、移動端末の位置識別子とアイデンティティ識別子を管理し、該移動端末の位置識別子とアイデンティティ識別子が関連するように設置されるマッピングマネージャー、及びアクセスルータと指令合わせを行い、移動端末の位置識別子とアイデンティティ識別子とのマッピング関係を検索、維持、更新、削除するように設置されるコマンダをさらに含む。
【００３０】
好ましくは、前記ソースアクセスルータは前記マッピングマネージャーに接続するファインダー及び前記メッセージパッケージプロセッサに接続するメッセージバッファをさらに含み、ソースアクセスルータのマッピングマネージャーには目的モバイル端末のアイデンティティ識別子と位置識別子のマッピング関係を記憶しない際に、
前記メッセージバッファは、前記ソースモバイル端末が初めて発信した、目的アドレスが目的モバイル端末のアイデンティティ識別子である第1データメッセージをキャッシュするように設置され、
前記ファインダーは、転送マッピングサーバへ前記目的モバイル端末のアイデンティティ識別子と位置識別子とのマッピング関係を検索するように設置され、
前記マッピングマネージャーは、検索結果に応じて目的モバイル端末のアイデンティティ識別子と位置識別子とのマッピング関係を追加するように設置され、
前記メッセージパッケージプロセッサはさらに、追加したマッピング関係に応じて前記メッセージバッファにおける第1データメッセージをパッケージ処理するように設置される。
【００３１】
好ましくは、前記マッピング転送サーバは、マッピングマネージャーに接続するメッセージパッケージ転送ユニットをさらに含み、前記ソースアクセスルータは前記マッピングマネージャーに接続するファインダーをさらに含み、前記ソースアクセスルータにおけるマッピングマネージャーには目的モバイル端末のアイデンティティ識別子と位置識別子とのマッピング関係を保存しない時、
前記ソースアクセスルータのメッセージ転送プロセッサはさらに、ソースモバイル端末が初めて発信した、目的アドレスが目的モバイル端末のアイデンティティ識別子である第1データメッセージを前記マッピング転送サーバに転送するように設置され、
前記マッピング転送サーバのメッセージパッケージ転送ユニットは、前記第1データメッセージにおけるアイデンティティ識別子に応じて位置識別子をパッケージし、第2データメッセージを取得し、前記第2データメッセージを前記目的モバイル端末に接続する目的アクセスルータにルーティング転送するように設置され、
前記ソースアクセスルータのファインダーは、前記転送マッピングサーバへ前記目的モバイル端末のアイデンティティ識別子と位置識別子とのマッピング関係を検索するように設置され、前記ソースアクセスルータのマッピングマネージャーは、検索結果に応じて目的モバイル端末のアイデンティティ識別子と位置識別子とのマッピング関係を追加するように設置される。
【００３２】
好ましくは、前記アクセスルータは前記マッピングマネージャーに接続するステータス通知装置をさらに含み、前記ステータス通知装置は、移動端末が所定のエリアまで移動し、或いは移動端末ステータスが変化すると、移動端末に位置識別子を分配し、分配した移動端末の位置識別子をマッピング転送サーバに通知するように設置され、前記マッピング転送サーバのコマンダは、通知した位置識別子に応じて移動端末のアイデンティティ識別子と位置識別子とのマッピング関係を更新するように設置される。
【００３３】
好ましくは、前記アクセスルータはステータス通知装置に接続するアクセスマネージャーと前記アクセスマネージャー及びメッセージ転送プロセッサに接続する移動性マネージャーをさらに含み、該アクセスマネージャーは、該アクセスルータの移動端末に接続されるアクセス情報を管理し、移動端末のアクセスサービスを提供するように設置され、該移動性マネージャーは、移動端末位置が変化する際に、移動端末の切り替えプロセスを処理し、移動端末が通信相手との間の接続関係を維持し、移動端末がアクセスを切り替える際に、通信相手に接続するアクセスルータにルーティングの最適化プロセスを開始するように設置される。
【００３４】
好ましくは、該システムは汎用ルータをさらに含み、前記第2データメッセージをルーティング転送するように設置される。
【００３５】
好ましくは、前記移動通信の制御システムはネットワークをアクセスネットワークと基幹ネットワークに分け、前記アクセスルータは前記アクセスネットワークと基幹ネットワークに接続し、前記アイデンティティ識別子はアクセスネットワーク内に用いられ、前記位置識別子は前記基幹ネットワーク内に用いられ、前記アイデンティティ識別子と位置識別子はコード空間を多重化し、異なる移動端末は位置識別子を多重化する。
【００３６】
以上の技術問題を解決するために、本発明はさらに移動通信の制御方法を提供し、該方法はソースモバイル端末が目的モバイル端末にデータメッセージを送信するプロセスを含み、該ソースモバイル端末は目的モバイル端末にデータメッセージを送信するプロセスは、
A、前記ソースアクセスルータはソースモバイル端末が送信した第1データメッセージを受信し、ステップBを実行すること、
B、前記第1データメッセージにおけるアイデンティティ識別子に応じて位置識別子をパッケージし、第2データメッセージを取得すること、前記第2データメッセージにおける位置識別子に応じて前記第2データメッセージを前記目的モバイル端末に接続する目的アクセスルータに転送すること、及び
C、前記目的アクセスルータは前記第2データメッセージにおける位置識別子パッケージを剥離し、前記第1データメッセージに還元し、前記第1データメッセージを前記目的モバイル端末に転送することを含む。
【００３７】
好ましくは、前記ソースモバイル端末は目的モバイル端末へデータメッセージを送信するプロセスは、移動通信システムにおいて、前記ソースアクセスルータは移動端末のアイデンティティ識別子と位置識別子とのマッピング関係をローカルキャッシュし、マッピング転送サーバはアクセスルータの指令に従って移動端末のアイデンティティ識別子と位置識別子とのマッピング関係を検索、維持、更新、削除し、前記ソースアクセスルータには前記ソースモバイル端末が初めて発信した、目的アドレスが目的モバイル端末のアイデンティティ識別子である第1データメッセージを受信する際に、前記ソースアクセスルータは前記第1データメッセージをキャッシュし、前記第1データメッセージにおける目的モバイル端末のアイデンティティ識別子に応じて前記マッピング転送サーバへ検索して前記目的モバイル端末の位置識別子を取得した後、再びステップBを実行することをさらに含む。
【００３８】
好ましくは、前記ソースモバイル端末は目的モバイル端末へデータメッセージを送信するプロセスは、移動通信システムにおいて、前記ソースアクセスルータは移動端末のアイデンティティ識別子と位置識別子とのマッピング関係をローカルキャッシュし、マッピング転送サーバはアクセスルータの指令において移動端末のアイデンティティ識別子と位置識別子とのマッピング関係を検索、維持、更新、削除し、前記ソースアクセスルータには前記ソースモバイル端末が初めて発信した、目的アドレスが目的モバイル端末のアイデンティティ識別子である第1データメッセージを受信する際に、前記ソースアクセスルータは前記第1データをマッピング転送サーバに転送し、前記マッピング転送サーバによってステップBを実行することをさらに含む。
【００３９】
好ましくは、移動端末が所定のエリアまで移動し、或いは移動端末ステータスが変化する際に、該方法は、ステータス通知プロセスをさらに含み、該ステータス通知プロセスは、
前記アクセスルータは移動端末に位置識別子を分配すること、
前記アクセスルータは分配した移動端末の位置識別子を前記マッピング転送サーバに通知すること、及び
前記マッピング転送サーバは通知した位置識別子に応じて移動端末のアイデンティティ識別子と位置識別子とのマッピング関係を更新することを含む。
【００４０】
好ましくは、該方法はルーティングの最適化プロセスをさらに含み、該ルーティングの最適化プロセスは、
移動端末がアクセスを切り替える際に、前記アクセスルータは前記移動端末に新たな位置識別子を分配し、通信相手のアクセスルータへルーティングの最適化プロセスを開始すること、及び
前記通信相手のアクセスルータはルーティングの最適化プロセスには前記移動端末のアイデンティティ識別子と位置識別子とのマッピング関係を更新することを含む。
【００４１】
好ましくは、移動通信の制御システムはネットワークをアクセスネットワークと基幹ネットワークに分け、前記アクセスルータは前記アクセスネットワークと基幹ネットワークに接続し、前記アイデンティティ識別子はアクセスネットワーク内に用いられ、前記位置識別子は前記基幹ネットワーク内に用いられる。
【００４２】
以上の技術問題を解決するために、本発明はさらに移動通信ネットワークにアプリケーションされるマッピング転送サーバを提供し、該マッピング転送サーバは、
移動端末の位置識別子とアイデンティティ識別子を管理するように設置されるマッピングマネージャー、
アクセスルータと指令合わせを行い、移動端末の位置識別子とアイデンティティ識別子とのマッピング関係を検索、維持、更新、削除するように設置されるコマンダ、及び
送信元アクセスルーティング識別子が転送した第1データメッセージにおけるアイデンティティ識別子に応じて位置識別子をパッケージし、第2データメッセージを取得し、及び前記第2データメッセージを前記目的モバイル端末に接続する目的アクセスルータにルーティング転送するように設置されるメッセージパッケージ転送ユニットを含む。
【００４３】
以上の技術問題を解決するために、本発明はさらにアクセスルータを提供し、該アクセスルータは、
該アクセスルータに接続される移動端末及び通信相手のアイデンティティ識別子と位置識別子とのマッピング関係を管理するように設置されるマッピングマネージャー、
移動端末が発信した第1データメッセージにおけるアイデンティティ識別子及び前記マッピングマネージャーにおけるマッピング関係に応じて位置識別子のパッケージを増加し、第2データメッセージを取得し、及び移動端末へ送信していく第2データメッセージにおける位置識別子のパッケージを剥離し、第1データメッセージを取得するように設置されるメッセージパッケージプロセッサ、及び
移動端末から第1データメッセージを受信し、通信相手に接続するアクセスルータから第2データメッセージを受信し、及び移動端末へ第1データメッセージを送信し、通信相手に接続するアクセスルータへ第2データメッセージを送信するように設置されるメッセージ転送プロセッサを含む。
【００４４】
好ましくは、前記アクセスルータはソースアクセスルータである際に、前記ソースアクセスルータは、前記マッピングマネージャーに接続するファインダー及び前記メッセージパッケージプロセッサに接続するメッセージバッファをさらに含み、ソースアクセスルータのマッピングマネージャーには目的モバイル端末のマッピング関係を記憶しない際に、
前記メッセージバッファは、前記ソースモバイル端末が初めて発信した、目的アドレスが目的モバイル端末のアイデンティティ識別子である第1データメッセージをキャッシュするように設置され、
前記ファインダーは、転送マッピングサーバへ前記目的モバイル端末のアイデンティティ識別子と位置識別子とのマッピング関係を検索するように設置され、
前記メッセージパッケージプロセッサはさらに、追加したマッピング関係に応じて前記メッセージバッファにおける第1データメッセージをパッケージ処理するように設置される。
【００４５】
好ましくは、前記アクセスルータはソースアクセスルータである際に、前記ソースアクセスルータは、前記マッピングマネージャーに接続するファインダーをさらに含み、前記ソースアクセスルータにおけるマッピングマネージャーには目的モバイル端末のアイデンティティ識別子と位置識別子とのマッピング関係を保存しない際に、
前記メッセージ転送プロセッサはさらに、ソースモバイル端末が初めて発信した、目的アドレスが目的モバイル端末のアイデンティティ識別子である第1データメッセージを前記マッピング転送サーバに転送するように設置され、
前記ファインダーは、前記転送マッピングサーバへ前記目的モバイル端末のアイデンティティ識別子と位置識別子とのマッピング関係を検索するように設置され、前記マッピングマネージャーは、検索結果に応じて目的モバイル端末のアイデンティティ識別子と位置識別子とのマッピング関係を追加するように設置される。
【００４６】
好ましくは、前記アクセスルータは、前記マッピングマネージャーに接続するステータス通知装置をさらに含み、前記ステータス通知装置は、移動端末が所定のエリアまで移動し、或いは移動端末ステータスが変化する際に、移動端末に位置識別子を分配し、分配した移動端末の位置識別子をマッピング転送サーバに通知するように設置される。
【００４７】
好ましくは、前記アクセスルータは、アクセスマネージャーと前記アクセスマネージャーに接続する移動性マネージャーをさらに含み、該アクセスマネージャーは、該アクセスルータの移動端末に接続されるアクセス情報を管理し、移動端末のアクセスサービスを提供するように設置され、該移動性マネージャーは、移動端末位置が変化する際に、移動端末の切り替えプロセスを処理し、移動端末と通信相手との間の接続関係を維持し、移動端末がアクセスを切り替え際に、通信相手に接続するアクセスルータへルーティングの最適化プロセスを開始するように設置される。
【発明の効果】
【００４８】
本発明における移動通信の制御システム方法及びシステムにおいて、アクセスルータ（ASR）は移動端末が送信したデータメッセージにおけるアイデンティティ識別子（AID）に応じて位置識別子（RID）をパッケージし、及びネットワーク側が送信したデータメッセージをパッケージ解除し、位置プライバシーを実現し、データメッセージの処理を簡素化させ、データメッセージヘッダの大き過ぎを防止するようにする。
【図面の簡単な説明】
【００４９】
【図１】図１は基本的な移動IPシステムを示す。
【図２】図２はIP2体系アーキテクチャの模式図を示す。
【図３】図３は本発明における移動通信の制御システムの全体ブロック図である。
【図４】図４は本発明における移動通信の制御システムの第1実施例の機能性のブロック模式図である。
【図５】図５は本発明における移動通信の制御システムの第2実施例の機能性のブロック模式図である。
【図６】図６は本発明における移動通信の制御システムの第3実施例の機能性のブロック模式図である。
【図７】図７は本発明における移動通信の制御システムの第4実施例の機能性のブロック模式図である。
【図８】図８は本発明における移動通信の制御システムの第5実施例の機能性のブロック模式図である。
【図９】図９は本発明における移動通信の制御方法のデータメッセージの伝送過程の模式図である。
【図１０】図１０は本発明移動通信の制御方法の切り替え管理過程の模式図である。
【発明を実施するための形態】
【００５０】
本発明における移動通信の制御システム方法及びシステムの主要思想は、アクセスルータ（ASR）は移動端末が送信したデータメッセージにおけるアイデンティティ識別子（AID）に応じて位置識別子（RID）をパッケージし、及びネットワーク側が送信したデータメッセージをパッケージ解除し、位置プライバシーを実現し、データメッセージの処理を簡素化させ、データメッセージヘッダの大き過ぎを防止するようにする。
【００５１】
本発明における移動通信の制御システムはネットワークをアクセスネットワークと基幹ネットワークに分け、ネットワークにおける各のユーザーに唯一のアイデンティティ識別子（アクセス識別子とも呼ばれ、Access Indentification、AIDと略称する）を分配し、該アイデンティティ識別子は移動過程の間始終変わらず、ネットワークにおいて、アイデンティティ識別子と位置識別子（ルーティング識別子とも呼ばれ、Routing Indentification、RIDと略称する）の2種類の識別子タイプを有し、そのうち、ユーザーアイデンティティ識別子はアクセスネットワークのみに用いられ、位置識別子は基幹ネットワークのみに用いられる。本発明における移動通信の制御システムはアイデンティティ識別子、位置識別子を明確し、そのアプリケーション範囲と論理的な意味を明確させる。このメカニズムはIPアドレスによるアイデンティティと位置の二重属性を分離する。このシステムにおいて前記のアイデンティティ識別子と位置識別子はIPアドレスのフォーマットを採用してもよく、IPアドレスと異なる他のフォーマットを採用してもよい。前記のアイデンティティ識別子と位置識別子はIPアドレスのフォーマットを採用する際に、アイデンティティ識別子の作用域に、IPアドレスフォーマットでのアイデンティティ識別子はアイデンティティ属性のみを表す。位置識別子の作用域内に、IPアドレスフォーマットでの位置識別子は位置属性のみを示す。従来の標準規範にはIPV4/IPV6アドレスの機能サブセットを定義するため、従来の標準の衝突が存在しなく、互換性がよい。本発明において移動通信の制御システムの上記アイデンティティ識別子、位置識別子は、その作用域と論理的な意味が異なるため、そのコードセグメントリソースは多重化できる。同時に、本発明において移動通信の御システムの記位置識別子はユーザー位置のみをマークし、同一の位置エリアにある移動端末は、同一の位置識別子を採用できる。これらの同一の位置エリアは同一の位置識別子の移動端末を採用し、異なるアイデンティティ識別子を採用してアイデンティティを区別するようにする。このような方式を採用して、本発明における移動通信の制御システムはコーディングリソースを節約する効果を果す。
【００５２】
図3に示すように、本発明における移動通信の制御システムはネットワークをアクセスネットワーク31と基幹ネットワーク32に分け、ネットワークにおける各のユーザーに唯一のアイデンティティ識別子を分配し、該アイデンティティ識別子は移動過程の間始終変わらず、ネットワークにおいて、アイデンティティ識別子と位置識別子の2種類の識別子タイプを有し、そのうち、ユーザーのアイデンティティ識別子はアクセスネットワークのみに用いられ、位置識別子は基幹ネットワークのみに用いられる。アクセスネットワークは基幹ネットワークのエッジに位置し、すべての端末のアクセスを担当する。基幹ネットワークはアクセスネットワークによってアクセスする異なる端末のルーティングを担当する。アクセスルータ(Access Service Router、ASR)321は基幹ネットワーク32とアクセスネットワーク31の境界点に位置し、アクセスネットワークに接続し、基幹ネットワークと接続する。アクセスネットワークと基幹ネットワークはトポロジー関係上に重なりがない。ユーザー端末の間の通信には相手のアイデンティティ識別子のみを用いて行う。アクセスルータASRは端末にアクセスサービスを提供し、ユーザーの接続を維持し、ユーザーデータを転送する。マッピング転送サーバILR/PTFはユーザーのAID-RIDマッピング関係を維持/保存し、登録機能を実現し、通信相手の位置検索プロセスを処理する。
【００５３】
IPプロトコルを設計する始めに、主に固定のアクセスシーンに対応して、IPアドレスはアイデンティティと位置の二重属性を含む。IPアドレスのアイデンティティ属性は、制御プロトコル（TCP）/IPプロトコルスタックを伝送する中に、IPアドレスは通信相手をマークすることに用いられることである。IPアドレスの位置属性は、IPアドレスはユーザーがどちらのネットワークセグメントに位置するかを代表し、ルーティングの元であることである。
【００５４】
本発明における移動通信の制御システムはアイデンティティ識別子、位置識別子を明確し、そのアプリケーション範囲と論理的な意味を明確させる。このメカニズムはIPアドレスのアイデンティティと位置の二重属性を分離する。このシステムにおいて前記のアイデンティティ識別子と位置識別子はIPアドレスのフォーマットを採用してもよく、IPアドレスと異なるほかのフォーマットを採用しても良い。前記のアイデンティティ識別子と位置識別子はIPアドレスのフォーマットを採用する際に、アイデンティティ識別子の作用域内に、IPアドレスフォーマットでのアイデンティティ識別子はアイデンティティ属性のみを表す。位置識別子の作用域内に、IPアドレスフォーマットでの位置識別子は位置属性のみを表す。従来の標準規範にはIPV4/IPV6アドレスの機能サブセットを定義するため、従来の標準の衝突が存在しなく、互換性がよい。
【００５５】
本発明において移動通信の制御システムの上記アイデンティティ識別子、位置識別子は、その作用域と論理的な意味が異なるため、そのコードセグメントリソースは多重化できる。例えば、ある移動端末のアイデンティティ識別子が10.1.1.1であってもよく、その位置識別子が10.1.1.1であってもよい。
【００５６】
同時に、本発明において移動通信制御システムに記載の位置識別子はユーザー位置のみをマークし、同一の位置エリアにある移動端末は、同一の位置識別子を採用できる。これらの同一の位置エリアは同一の位置識別子の移動端末を採用し、異なるアイデンティティ識別子を採用してアイデンティティを区別するようにする。このような方式を採用して、本発明における移動通信の制御システムはコーディングリソースを節約する効果を果す。
【００５７】
図3に示すように、基幹ネットワーク32は論理的に独立な2つの機能プレーンを形成し、マッピング転送プレーン322と広義転送プレーン323である。
【００５８】
広義転送プレーンの主な機能はデータメッセージにおける位置識別子に従ってデータメッセージをパス選択と転送することである。
【００５９】
マッピング転送プレーンの主な機能は移動ノードのアイデンティティ識別子と位置識別子のマッピング情報を保存し、移動ノードの登録プロセスを処理し、通信相手の位置検索プロセスを処理することである。選択的に、アイデンティティで目的アドレスを識別するデータメッセージを転送する。
【００６０】
移動ノード(Mobile Node、MN)が起動し或いは位置が変化する際に、該移動端末MNが所在するアクセスルータはマッピング転送プレーンへ登録プロセスを開始し、マッピング転送プレーンは移動ノードの登録プロセスを処理し、登録情報のアイデンティティ識別子と位置識別子のマッピング関係を保存する。
【００６１】
マッピング転送プレーンはデータメッセージにおけるアイデンティティ識別子AIDに従ってデータメッセージをパス選択と転送し、要求先にアイデンティティ識別子と位置識別子AID-RIDのマッピング関係をリターンバックする。
【００６２】
相手ノード(Correspondent Node、CN)が所在するアクセスルータASRcはCNが発信したデータメッセージを受信した後、ASRcは先にローカルマッピング表を検索し、AIDm-RIDmのマッピングを見つけると、データメッセージにはRIDmルーティング情報を増加し、データメッセージを広義転送プレーンに配信して転送処理する。相手ノードCNが所在するアクセスルータASRcはCNが発信したデータメッセージを受信した後、ASRcはAIDm-RIDmのマッピング表エントリを見つけないと、ASRcはILRに検索プロセスを出す。同時に、選択的にデータメッセージを広羲転送プレーンに配信して転送処理する。マッピング検索の間に、選択的に、ASRcは相手ノードCNが移動ノードMNに送信するデータメッセージをキャッシュしてもよい。AIDm-RIDmマッピング表エントリを取得した後、関連データメッセージにおいてRIDmルーティング情報を増加し、データメッセージを広羲転送プレーンに配信して転送処理する。
【００６３】
第1実施例
以下、図4を参照して本発明における移動通信の制御システムの第1実施例のアクセスルータを説明する。図4に示すように、前記アクセスルータは、マッピングマネージャー41、メッセージ転送プロセッサ42及び前記マッピングマネージャー及びメッセージ転送プロセッサに接続するメッセージパッケージプロセッサ43を備え、その中、
ソースアクセスルータは、無線リンクによってソースモバイル端末に接続し、前記ソースアクセスルータにおいて、
該マッピングマネージャー41は、移動端末のアイデンティティ識別子と位置識別子とのマッピング関係を管理するように設置され、
例えば、MT#1のアイデンティティ識別子がAIDで、ASR#1をアクセスし、ASR#1はMT#1に位置識別子RID1を分配し、このとき、ルータASR#1をアクセスするマッピングマネージャー41はMT#1のマッピング関係AID-RID1を保存する。
【００６４】
該メッセージパッケージプロセッサ42は、ソースモバイル端末が発信した第1データメッセージにおけるアイデンティティ識別子に応じて位置識別子をパッケージし、第2データメッセージを取得するように設置され、
該メッセージ転送プロセッサ43は前記第2データメッセージにはパッケージされた位置識別子に応じて、前記第2データメッセージを目的端末に接続するターゲットアクセスルータに伝送し、
ターゲットアクセスルータは、無線リンクによってターゲット移動端末に接続し、前記ターゲットアクセスルータにおいて、
該マッピングマネージャー41は、移動端末のアイデンティティ識別子と位置識別子とのマッピング関係を管理するように設置され、
送信元ASRのマッピングマネージャー41は管理するマッピング関係は送信元ASRのソースモバイル端末に接続するマッピング関係を含み、必要に応じてソースモバイル端末と通信する目的モバイル端末のマッピング関係を含んでもよく、同様に、目的ASRのマッピングマネージャーが管理するマッピング関係は目的ASRの目的モバイル端末に接続するマッピング関係を含み、必要に応じて目的モバイル端末と通信するソースモバイル端末のマッピング関係を含んでもよい。
【００６５】
該メッセージパッケージプロセッサ42は、前記第2データメッセージにおける位置識別子を剥離し、前記第1データメッセージにパッケージ解除するように設置され、
該メッセージ転送プロセッサ43は、パッケージ解除された第1データメッセージにおけるアイデンティティ識別子に応じて、前記第1データメッセージをターゲット移動端末に伝送する。
【００６６】
第2実施例
本発明における移動通信システムの第2実施例において、図4に示すようなアクセスルータの以外、マッピング転送サーバをさらに含み、図5に示すように、
移動端末の位置識別子とアイデンティティ識別子を管理し、該移動端末の位置識別子とアイデンティティ識別子が関連するように設置されるマッピングマネージャー51、及び
アクセスルータと指令合わせを行い、移動端末の位置識別子とアイデンティティ識別子のマッピング関係を検索、維持、更新、削除するように設置されるコマンダ52を含む。
【００６７】
例えばMT#1は通信相手CNにデータ通信を開始し、MT#1が発信したデータメッセージの目的アドレスは通信相手CNのアイデンティティ識別子AIDcであり、MT#1が所在するアクセスルータASR#1には通信相手CNのアイデンティティ識別子AIDcとその位置識別子RIDcのマッピングを保存せず、ASR#1はマッピング転送サーバへマッピング検索過程を開始し、マッピング転送サーバにおけるコマンダ12はASR#1からの検索要求を受信する際に、マッピングマネージャー51へ検索し、検索結果を取得した後、コマンダ52はシグナリングメッセージを構造して要求先へ検索結果をリターンバックする。
【００６８】
マッピング転送サーバは移動端末の位置或いはステータスの変化に応じて、目的モバイル端末のアイデンティティ識別子と位置識別子との間のマッピング関係を更新することができる。
【００６９】
例えばMT#1のアイデンティティ識別子がAIDで、ASR#1をアクセスし、ASR#1はMT#1に位置識別子RID1を分配し、このとき、マッピング転送サーバのマッピングマネージャー51にはMT#1のマッピング関係AID-RID1を保存している。MT#1はASR#1からASR#2のエリアに移動する際に、ASR#2はMT#1に新たな位置識別子RID2を分配し、マッピング転送サーバに更新を開始し、マッピング転送サーバのコマンダ52は更新メッセージを受信した後、マッピングマネージャー51を通知してMT#1のマッピング関係をAID-RID2に更新する。
【００７０】
第3実施例
ソースモバイル端末が初めて発信したメッセージの転送を実現するために、以下で、移動通信の制御システムの第3実施例である選択的な解決案を提供する。第2実施例と異なるのは、前記ソースアクセスルータは前記マッピングマネージャー41に接続するファインダー44及び前記メッセージパッケージプロセッサ43に接続するメッセージバッファ45をさらに含むことにあり、図6に示す。ソースアクセスルータのマッピングマネージャー41には目的モバイル端末のマッピング関係を保存しない際に、
前記メッセージバッファ45は、前記ソースモバイル端末が初めて発信した、目的アドレスは目的モバイル端末のアイデンティティ識別子である第1データメッセージをキャッシュするように設置され、
前記ファインダー44は、転送マッピングサーバへ前記ターゲット移動端末のアイデンティティ識別子と位置識別子のマッピング関係を検索するように設置され、
例えばMT#1のアイデンティティ識別子がAID1で、ASR#1をアクセスする。MT#2のアイデンティティ識別子がAID2で、ASR#2をアクセスし、ASR#2はMT#2に位置識別子RID2を分配した。MT#1はMT#2にデータ通信を開始する。ASR#1はファインダー44によってマッピング転送サーバへマッピング検索過程を開始し、マッピング検索過程を経た後、ASR#1はMT#2のマッピング関係AID2-RID2を取得することとする。
【００７１】
前記マッピングマネージャー41は、検索結果に応じて目的モバイル端末のアイデンティティ識別子と位置識別子とのマッピング関係を追加するように設置され、
前記メッセージパッケージプロセッサ43はさらに、追加したマッピング関係に応じて前記メッセージバッファにおける第1データメッセージをパッケージ処理するように設置される。
【００７２】
ソースアクセスルータはソースモバイル端末が発信した最初のメッセージを受信した際に、ソースアクセスルータには目的モバイル端末のアイデンティティ識別子と位置識別子とのマッピング関係を保存しないと、ソースアクセスルータとマッピング転送ルータとの間にマッピング検索過程を行うこととする。この間に、移動端末が発信したデータメッセージはソースアクセスルータによってキャッシュされ、マッピング検索過程が終了した後、ソースアクセスルータは目的モバイル端末のアイデンティティ識別子と位置識別子とのマッピング関係を受信した後、ソースアクセスルータはキャッシュされたデータメッセージに対して対応する位置識別子パッケージを増加し、データメッセージを目的モバイル端末に接続する目的アクセスルータに送信する。
【００７３】
第4実施例
ソースモバイル端末が初めて発信したメッセージの転送を実現するために、本発明はさらに、移動通信の制御システムの第4実施例である選択的な解決案を提供する。第2実施例と異なるのは、前記マッピング転送サーバはマッピングマネージャー51に接続するメッセージパッケージ転送ユニット53をさらに含み、前記ソースアクセスルータは前記マッピングマネージャーに接続するファインダー44をさらに含むことにあり、前記ソースアクセスルータにおけるマッピングマネージャーには目的モバイル端末のアイデンティティ識別子と位置識別子とのマッピング関係を保存しない際に、
前記ソースアクセスルータのメッセージ転送プロセッサ42は、ソースモバイル端末が初めて発信した、目的アドレスが目的モバイル端末のアイデンティティ識別子である第1データメッセージを前記マッピング転送サーバに転送するように設置され、
前記マッピング転送サーバのメッセージパッケージ転送ユニット53は、前記第1データメッセージにおけるアイデンティティ識別子に応じて位置識別子をパッケージし、第2データメッセージを取得し、前記第2データメッセージルーティングを前記目的モバイル端末に接続する目的アクセスルータに転送するように設置され、
前記ソースアクセスルータのファインダー44は、前記転送マッピングサーバへ前記ターゲット移動端末のアイデンティティ識別子と位置識別子のマッピング関係を検索するように設置され、前記マッピングマネージャー41は、検索結果に応じて目的モバイル端末のアイデンティティ識別子と位置識別子とのマッピング関係を追加するように設置される。
【００７４】
ソースアクセスルータはソースモバイル端末が発信した最初のメッセージを受信した際に、ソースアクセスルータには目的モバイル端末のアイデンティティ識別子と位置識別子とのマッピング関係を保存しないと、ソースアクセスルータとマッピング転送ルータとの間にマッピング検索過程を行うこととする。この間、移動端末が発信したデータメッセージはソースアクセスルータにより対応するマッピング転送サーバに送信されることができ、マッピング転送サーバは目的アドレスにおけるアイデンティティ識別子に応じて、対応する位置識別子パッケージを増加し、データメッセージを目的モバイル端末に接続する目的アクセスルータに送信する。
【００７５】
第5実施例
移動端末のマッピング関係の更新を実現するために、図8に示すように、第2実施例と異なるのは、前記アクセスルータは、前記マッピングマネージャーに接続するステータス通知装置46をさらに含むことにあり、移動端末が所定のエリアに移動し、或いは移動端末のステータスが変化する際に、移動端末に位置識別子を分配するように設置され、さらに、分配された移動端末の位置識別子をマッピング転送サーバに通知するように設置され、前記マッピング転送サーバのコマンダ52は前記通知に従って移動端末のアイデンティティ識別子と位置識別子とのマッピング関係を更新する。
【００７６】
例えばMT#1のアイデンティティ識別子がAIDで、ASR#1をアクセスし、ASR#1はMT#1に位置識別子RID1を分配し、このとき、マッピング転送サーバのマッピングマネージャー51にはMT#1のマッピング関係AID-RID1を保存し、アクセスルータASR#1のマッピングマネージャー41にはMT#1のマッピング関係AID-RID1を保存した。MT#1はASR#1からASR#2のエリアに移動した際に、ASR#2はMT#1に新たな位置識別子RID2を分配し、ASR#2のステータス通知装置46はマッピング転送サーバに更新プロセスを開始する。
【００７７】
第6実施例
第1、2実施例と異なるのは、図8に示すように、前記アクセスルータは、ステータス通知装置46に接続するアクセスマネージャー47と前記アクセスマネージャー47及びメッセージ転送プロセッサ42に接続する移動性マネージャー48をさらに含むことにあり、該アクセスマネージャー47は、該アクセスルータの移動端末に接続するアクセス情報を管理し、移動端末のアクセスサービスを提供するように設置され、該移動性マネージャー48は、移動端末位置が変化する際に、移動端末の切り替えプロセスを処理し、移動端末と通信相手との間の接続関係を維持し、移動端末がアクセスを切り替える際に、通信相手に接続するアクセスルータにルーティングの最適化プロセスを開始し、通信両端の間のデータメッセージの伝送パスを短くさせるように設置される。
【００７８】
例えば MT#1のアイデンティティ識別子がAID1で、ASR#1をアクセスし、ASR#1はMT#1に位置識別子RID1を分配した。MT#2のアイデンティティ識別子がAID2で、ASR#2をアクセスし、ASR#2はMT#2に位置識別子RID2を分配した。MT#1とMT#2はデータ通信を行っている。MT#1はASR#1からASR#3のエリアに移動する際に、ASR#1とASR#3の移動性マネージャーは切り替え処理プロセスを実行し、ASR#3はMT#1に位置識別子RID3を分配した。ASR#3のステータス通知装置46はマッピング転送サーバに更新プロセスを開始し、マッピング転送サーバにおいてMT#1のマッピング関係AID1-RID3を更新し、ASR#3の移動性マネージャー48はMT#2が所在するASR#2にルーティングの最適化プロセスを開始する。ルーティングの最適化プロセスに、ASR#2のマッピングマネージャー35はMT#1のマッピング関係をAID1-RID3に更新する。切り替え過程に、ASR#1はASR#2とASR#3との間のデータメッセージを転送することとする。
【００７９】
理解できることには、送信元ASRと目的ASRは通信するソースモバイル端末と目的モバイル端末に応じて確定するものであり、無論、送信元ASRと目的ASRは同一のASRである場合もある。送信元ASRと目的ASRは一対の相対的なASRであり、異なる移動端末について、いずれかのASRはともに同時に送信元ASRと目的ASRである。
【００８０】
本発明における移動通信の制御方法はソースモバイル端末が目的モバイル端末へデータメッセージを送信するプロセスを含む。
【００８１】
図9に示すように、移動端末MT#1(ソースモバイル端末)は移動端末MT#2（目的モバイル端末）へデータメッセージを送信するプロセスは、以下のステップを含み、
ステップ901、移動端末（ソースモバイル端末）MT#1はソースアクセスルータとの間の接続によってソースアクセスルータASR#1へデータメッセージ「a」を伝送する。
【００８２】
移動端末（目的モバイル端末）MT#2のアイデンティティ識別子AID2はデータメッセージ「a」における目的アドレスに設置され、移動端末（ソースモバイル端末）MT#1のアイデンティティ識別子AID1はデータメッセージ「a」における送信元アドレスに設置される。
【００８３】
ステップ902、アクセスルータASR#1はマッピングマネージャーにおけるマッピングルーティング表に従って、データメッセージ「a」に目的モバイル端末とソースモバイル端末の位置識別子パッケージを増加し、データメッセージ「b」 を形成する。
【００８４】
前記ソースアクセスルータは前記ソースモバイル端末が初めて発信した、目的アドレスが目的モバイル端末のアイデンティティ識別子である第1データメッセージを受信する際に、前記ソースアクセスルータは前記第1データメッセージをキャッシュし、前記第1データメッセージにおける目的モバイル端末のアイデンティティ識別子に応じて前記マッピング転送サーバへ検索して前記目的モバイル端末の位置識別子を取得した後、再びメッセージのパッケージを行う。
【００８５】
ステップ903、アクセスルータASR#1は目的モバイル端末MT#2の位置識別子に従ってルーティングし、データメッセージ「b」を汎用ルータCRに送信する。
【００８６】
ステップ904、汎用ルータCRはデータメッセージ「b」の目的アドレスに応じてデータメッセージをグルーピングデータネットワークにおいて伝送する。
【００８７】
ネットワーク構築の環境の相異に従って、ASR#1とASR#2との間に汎用ルータCRが存在しなく、或いは複数のCRルータを含む可能性がある。
【００８８】
ステップ905、汎用ルータCRはデータメッセージ「b」を目的アクセスルータASR#2に送信する。
【００８９】
ステップ906、ASR#2はデータメッセージ「b」の位置識別子パッケージを剥離し、還元してデータメッセージ「a」を形成する。
【００９０】
ステップ907、目的モバイル端末MT#2とASR#2が接続するリンクによって、目的アクセスルータASR#2はデータメッセージを目的モバイル端末MT#2まで送信する。
【００９１】
以上のプロセスにおいて、ソースモバイル端末MT#1は目的モバイル端末MT#2に初めて発信するデータメッセージに対して、マッピング転送サーバによってパッケージ転送してもよく、即ち、前記ソースアクセスルータは前記ソースモバイル端末が初めて発信した、目的アドレスが目的モバイル端末のアイデンティティ識別子である第1データメッセージを受信する際に、前記ソースアクセスルータは前記第1データをマッピング転送サーバに転送し、前記マッピング転送サーバによりASR#2にパッケージ転送する。
【００９２】
移動端末は所定のエリアに移動し、或いは移動端末ステータスが変化する際に、本発明の方法はステータス通知プロセスをさらに含み、該ステータス通知プロセスは、
前記アクセスルータは移動端末に位置識別子を分配すること、
前記アクセスルータは分配された移動端末の位置識別子を前記マッピング転送サーバに通知すること、
前記マッピング転送サーバは前記通知に応じて移動端末のアイデンティティ識別子と位置識別子とのマッピング関係を更新することを含む。
【００９３】
本発明の方法は、ルーティングの最適化プロセスをさらに含み、該ルーティングの最適化プロセスは、
移動端末がアクセスを切り替える際に、前記アクセスルータは前記移動端末に新たな位置識別子を分配し、通信相手のアクセスルータにルーティングの最適化プロセスを開始すること、
前記通信相手のアクセスルータはルーティングの最適化プロセスの中に前記移動端末のアイデンティティ識別子と位置識別子とのマッピング関係を更新することを含む。
【００９４】
以下で、図面10を参照して移動通信の制御システムの切り替え管理過程（ステータス通知プロセス及びルーティングの最適化プロセスを含む）を詳細に説明する。
【００９５】
図10に示すように、移動端末MT#1は移動端末MT#2とデータ通信を行っている。その中、移動端末MT#2はアクセスルータASR#3に接続するリンクによってデータメッセージを送受信し、移動端末MT#1はアクセスルータASR#1に接続するリンクによってデータメッセージを送受信する。この過程中に、MT#1とMT#2との間のデータメッセージ転送パスはa<-->b1<-->b2<-->b3であり、このとき、MT#1はアクセスルータASR#1により分配された位置識別子RID1を採用してMT#2にデータ通信を行い、該位置識別子RID1はMT#1のアイデンティティ識別子AID1に関連する。
【００９６】
通信過程中に、通信システムは始終に移動端末MT#1に通信している通信相手を記録、更新或いは削除する。通信システムには通信相手の情報を記憶する機能エンティティはアクセスルータASR或いはマッピングサーバILRであってもよい。相応的に、MT#2の情報はシステムに記憶される。
【００９７】
通信過程中に、移動端末MT#1の位置はアクセスルータASR#1によってカバーされるエリアからアクセスルータASR#2によってカバーされるエリアに移動する。システムは移動端末MT#1の移動を検発信した後切り替え管理の過程を開始する。本発明は切り替えの開始過程に対して具体的な要求がなく、システムと端末のインタフェースを変えることなく、従来のアクセスネットワーク標準の両立を実現でき、ワイファイ（WiFi）、広帯域符号分割多重アクセス（WCDMA）、符号分割多重アクセス（CDMA）、ロングタームエボリューション（LTE）、ワイマックス（WiMAX）等が含まれるがそれらに限られることがない。この移動性によって切り替えの開始を検出する過程は、具体的なアクセスネットワーク標準によって行われる。
【００９８】
例えばWiFiネットワークにおいて、この移動性によって切り替えの開始を検出する過程は端末により開始されることである。WCDMAネットワークにおいて、この移動性によって切り替えの開始を検出する過程は無線ネットワークコントローラ（RNC）により開始されることである。
【００９９】
ステップ1001、切り込まれる側のアクセスルータASR#2はMT#1に新たな位置識別子RID2を分配することとなって、該位置識別子RID2がMT#1のアイデンティティ識別子AID1に関連する。
【０１００】
切り込まれる側のアクセスルータASR#2は新たな位置識別子RID2をマッピング転送サーバILR/PTFに登録し、マッピング転送サーバILR/PTFは対応するマッピングルーティング表を更新し、アイデンティティ識別子AID1が対応する位置識別子RID1をRID2に更新する。データ通信を新規作成する通信相手は移動端末MT#1の新たな位置識別子RID2を検索することとなって、このとき、MT#1はアクセスルータASR#2により分配された位置識別子RID2を採用してデータ通信を新規作成する通信相手とデータ通信を行う。
【０１０１】
ステップ1002、ルーティングの最適化を行い、切り込まれる側のアクセスルータASR#2は通信システムに記憶された通信相手の情報を検索し、新たな位置識別子RID2を通信相手MT#2が所在するアクセスルータASR#3に通知し、アクセスルータASR#3は対応するマッピングルーティング表を更新し、アイデンティティ識別子AID1が対応する位置識別子RID1をRID2に更新することとする。その後、MT#1とMT#2との間のデータメッセージ転送パスがa<-->d1<-->d2<-->d3である。
【０１０２】
ステップ1002で遅延が存在するため、切り替え過程中に、ASR#1は中継切り替える間のデータメッセージをMT#1とMT#2との間に転送し、このとき、MT#1とMT#2との間のデータメッセージ転送パスがa<-->b1<-->b2<-->c<-->d3である。
【０１０３】
ステップ1001と1002は時間的な優先順位が存在しない。
【０１０４】
この移動通信の制御システムの切り替え管理過程中に、切り替えの開始過程は具体的な無線アクセス方式によって決められ、ルーティングの最適化過程は切り込まれる側のアクセスルータASRが切り替えの移動端末に新たな位置識別子を分配した後行う。どちらのアクセス標準に関わらず、切り込まれる側のアクセスルータASRはともに新たな位置識別子を分配するステップを感知できるため、移動端末MNが発信したすべてのデータメッセージを監視、検出、トラバースする必要が無く、ルーティングの最適化過程を行える。
【０１０５】
本発明が提発信した通信システム、ルーティング制御方法及び装置は、以下の特徴を有し、
（1）MNとCNは相手のアイデンティティ識別子のみを分かれば通信でき、位置プライバシーを実現させ、
（2）データメッセージは簡単なパッケージとパッケージ解除を経れば、メッセージがコアネットワークにおける伝送を実現でき、メッセージの処理過程を簡素化させ、メッセージヘッダが大き過ぎる問題を防止することができ、
（3）実現過程に対して端末の参加の必要がなく、部署過程は端末のアップグレードと互換性の問題を考える必要がなく、
（4）本発明における位置識別子は異なる端末の間に多重化でき、コーディングリソースを節約し、
（5）本発明におけるアイデンティティ識別子、位置識別子のコード空間が多重化でき、コーディングリソースを節約し、
（6）本発明に係るアイデンティティ識別子、位置識別子は従来の規範標準におけるIPv4/IPv6アドレス定義を両立する。利用できるIPv4/IPv6アドレス数を減少せず、従来のプロトコル規範と衝突する潜恐れがなく、従来の規範標準におけるIPv4/IPv6アドレス定義を変化しなく、
（7）移動端末MT#1は通信相手MT#2、MT#3…MT#nに通信していて、移動端末MT#1が切り替え、ルーティングの最適化過程はMT#1にアクセスしたアクセスルータASR#1、及びMT#1の通信相手が所在するASR#2、ASR#3…ASR#nの間に行って、本発明はアクセスルータASR#1が関連アクセスルータASR#2、ASR#3…ASR#nルーティング情報を取得する方法を明確し、
（8）本発明のルーティングの最適化過程は直接に通信両端のアクセスルータの間に行って、必要ない故障ノードを排除し、操作プロセスを簡素化させ、ルーティングの最適化過程のために移動端末MNが発信したすべてのデータメッセージを監視、検出、トラバースする必要がない。
【０１０６】
当業者にとっては、上記方法における全部或いは一部のステップはプログラムによって関連ハードウェアを指令して完成することができ、上記プログラムはコンピュータの読み取り可能な記憶媒体、例えば、読み取り専用メモリ、ディスク或いはCD等に記憶されることができることが分ることができる。選択的に、上記実施例における全部或いは一部のステップは、1つ或いは複数の集積回路を用いて実現することもできる。相応的に、上記実施例における各モジュール/ユニットはハードウェアの形式で実現でき、ソフトウェア機能モジュールの形式で実現しても良い。本発明はいずれかの特定形式のハードウェアとソフトウェアとの結合に限られない。
【産業上の利用可能性】
【０１０７】
本発明における移動通信の制御方法及びシステムにおいて、アクセスルータは移動端末が送信したデータメッセージにおけるアイデンティティ識別子に応じて位置識別子をパッケージし、及びネットワーク側が送信したデータメッセージをパッケージ解除し、位置プライバシーを実現するようにし、データメッセージは簡単なパッケージとパッケージ解除を経れば、メッセージがコアネットワークにおける伝送を実現でき、メッセージの処理過程を簡素化させ、メッセージヘッダが大き過ぎる問題を防止することができ、実現過程に対して端末の参加の必要がなく、部署過程は端末のアップグレードと互換性の問題を考える必要がなく、本発明における位置識別子は異なる端末の間に多重化でき、コーディングリソースを節約し、本発明におけるアイデンティティ識別子、位置識別子のコード空間が多重化でき、コーディングリソースを節約し、本発明のルーティングの最適化過程は直接に通信両端のアクセスルータの間に行って、必要ない故障ノードを排除し、操作プロセスを簡素化させ、ルーティングの最適化過程のために移動端末MNが発信したすべてのデータメッセージを監視、検出、トラバースする必要がない。
【図１】
0005602252.tif 000002
【図２】
0005602252.tif 000003
【図３】
0005602252.tif 000004
【図４】
0005602252.tif 000005
【図５】
0005602252.tif 000006
【図６】
0005602252.tif 000007
【図７】
0005602252.tif 000008
【図８】
0005602252.tif 000009
【図９】
0005602252.tif 000010
【図１０】
0005602252.tif 000011